(57)【要約】      （修正有）【課題】開閉動作を容易にできるカーテンを提供する。【解決手段】横開きカーテンに取っ手を設ける。取っ手は、凹状の棒状部材と凸状の棒状部材からなり、その間にカーテンを挟み込み固定設置する。【選択図】図３
0003159494.tif 000002
【実用新案登録請求の範囲】
【請求項１】
横開きカーテンに取っ手を設けたことを特徴とするカーテン。
【請求項２】
前記取っ手は、凹凸二本の棒状でカーテンを挟み込み設置固定できることを特徴とする請求項１記載の取っ手。
【考案の詳細な説明】
【技術分野】
【０００１】
この考案は、横開きカーテンの開閉を容易にできる装置に関する。
【背景技術】
【０００２】
従来のカーテンは、開け閉めにカーテンの縁を持ち開閉しています、特にカーテンの背丈の高いものや、又Ｂフックと呼ばれるカーテンレールを隠したタイプでは上方に手を添え開閉しないと容易に動きません、上部に手が届か無い為、下部の縁を持ち強引に開閉しカーテンに負担をかけ損傷の原因となる。
【考案の開示】
【考案が解決しようとする課題】
【０００３】
しかしながら、以上の技術によれば、カーテンの上部を持っての開閉は容易に出来が、背丈の長いカーテ又は背の低い子供では上部に手が届かず開閉が困難である。Ｂフックと呼ばれるカーテンレールを隠したタイプはカーテンの上辺部がカーテンレールと接触して、もつれ開閉動作の動きに抵抗が発生し開閉しにくい。
そこでこの考案は、開け閉め動作を容易にできる安価な補助装置を提供する。
【課題を解決するための手段】
【０００４】
以上の課題を解決するために第一考案は、カーテンに取っ手を設けたことを特徴とするカーテン開閉の補助装置である。《図１（イ）参照》
また第二考案は、前記取っ手は凹凸二本の棒状でカーテンを挟み込み設置固定できることを特徴とする請求項１記載の取っ手である。《図２（ロ）  図３参照》
【考案の効果】
【０００５】
第一考案、または第二考案によれば、カーテンに取っ手を設けたので開閉がしやすい。
【考案を実施するための最良の形態】
【０００６】
この実施形態を図１〜図５に示します。
布製の横開きカーテン図１の（イ）部分に合成樹脂で造られた凹凸二本の棒状の取っ手、図４の（へ）（ト）を装着する。
取っ手の構造は凹凸二本の棒状で（図４参照）図４の（ト）に、図４の（ヘ）がカーテン（ホ）を挟みはまる。《図３参照》図４の（へ）は挟み込むカーテンの厚さが違ってもはまるよう適度な弾力を持たせ、また取っ手の取付け作業は一般の方が工具無しで簡単に脱着できるよう適度な柔軟性のある材質である。
図４（ト）は、カーテンの開閉の物理的負荷に耐える硬質な材質を使用する。
【産業上の利用可能性】
【０００７】
開閉は、モーターを使った電動式、ワイヤーや滑車を用いた手動式等有りますが、一般ではカーテンの縁を手で持ち開閉する物が主流です。カーテンの開け閉が安易に出来ない状態になったとき、中央当りを持ち強引に引き、カーテンを支える滑車（Ｓランナー）を壊し、カーテンレールにカーテンの端の一部が垂れ下っているのを良く見かけます、この様な問題を未然に防ぐには当考案の装置、カーテンの取っ手が最適です。
【図面の簡単な説明】
【０００８】
【図１】取っ手を装着したカーテン。(イ)の位置に装着する
【図２】カーテンの裏と表から挟み装着の略図、（ロ）の部分
【図３】図１の（イ）の上部拡大図でカーテン(ホ)を挟み（ハ）と（ニ）の凹凸部分を合わせ、押し込み装着固定する
【図４】取っ手の分解構造図
【図５】カーテンを挟み込んだ取っ手の拡大図
【符号の説明】
【０００９】
（イ）考案の取っ手
（ホ）カーテン
【図１】
0003159494.tif 000003
【図２】
0003159494.tif 000004
【図３】
0003159494.tif 000005
【図４】
0003159494.tif 000006
【図５】
0003159494.tif 000007
【手続補正書】
【提出日】平成21年11月18日(2009.11.18)
【手続補正１】
【補正対象書類名】実用新案登録請求の範囲
【補正対象項目名】全文
【補正方法】変更
【補正の内容】
【実用新案登録請求の範囲】
【請求項１】
横開きカーテンに、取っ手を設けたことを特徴とするカーテン。
【請求項２】
前記取っては、その間にカーテンを挟み込むことで設置固定される、凹状の棒状部材と、凸状の棒状部材とからなることを特徴とする請求功1に記載のカーテン。
【手続補正２】
【補正対象書類名】明細書
【補正対象項目名】０００３
【補正方法】変更
【補正の内容】
【０００３】
しかしながら、以上の技術によれば、カーテンの上部を持っての開閉は容易に出来るが、背丈の長いカーテ又は、背の低い子供では上部に手が届かず開閉が困難である。Ｂフックと呼ばれるカーテンレールを隠したタイプは、年月が経つとカーテンの上辺部がカーテンレールと接触して、もつれ摩擦が大きくなり開閉動作が悪くなる。
そこでこの考案は、開閉動作を容易にできる安価な補助装置を提供する。
【手続補正３】
【補正対象書類名】明細書
【補正対象項目名】０００４
【補正方法】変更
【補正の内容】
【０００４】
以上の課題を解決するために第一考案は、カーテンに取っ手を設けたことを特徴とするカーテン開閉の補助装置である。《図１（イ）参照》
また第二考案は、前記取っ手は凹凸二本の棒状部材でカーテンを挟み込み設置固定できることを特徴とする請求項１記載の取手である。《図２（ロ）  図３参照》
【手続補正４】
【補正対象書類名】明細書
【補正対象項目名】０００６
【補正方法】変更
【補正の内容】
【０００６】
この実施形態を図１〜図５に示します。
布製の横開きカーテン図１の（イ）部分に合成樹脂で造られた凹凸二本の棒状部材からなる取っ手、図４の（へ）（ト）を装着する。
取っ手の構造は凹凸二本の棒状部材で（図４参照）図４の（ト）に、図４の（ヘ）がカーテン（ホ）を挟みはまる。《図３参照》図４の（へ）は挟み込むカーテンの厚さが違ってもはまるよう適度な弾力を持たせ、また取っ手の取付け作業は一般の方が工具無しで簡単に脱着できるよう適度な柔軟性のある材質である。
図４（ト）は、カーテンの開閉の物理的負荷に耐える硬質な材質を使用する。
【手続補正書】
【提出日】平成21年12月28日(2009.12.28)
【手続補正１】
【補正対象書類名】実用新案登録請求の範囲
【補正対象項目名】全文
【補正方法】変更
【補正の内容】
【実用新案登録請求の範囲】
【請求項１】
横開きカーテンに、取っ手を設けたことを特徴とするカーテン。
【請求項２】
前記取っ手は、凹状の棒状部材と、凸状の棒状部材からなり、その凹凸部材の間にカーテンを挟み込み固定設置できる事を特徴とする請求項１に記載の、カーテンの取っ手。
【手続補正書】
【提出日】平成22年2月12日(2010.2.12)
【手続補正１】
【補正対象書類名】実用新案登録請求の範囲
【補正対象項目名】全文
【補正方法】変更
【補正の内容】
【実用新案登録請求の範囲】
【請求項１】
横開きカーテンに、取っ手を設けたことを特徴とするカーテン。
【請求項２】
凹状の棒状部材と、凸状の棒状部材からなり、その凹凸部材の間にカーテンを挟み込み固定設置できる事を特徴とするカーテンの取っ手。
【手続補正２】
【補正対象書類名】明細書
【補正対象項目名】０００８
【補正方法】変更
【補正の内容】
【０００８】
【図１】取っ手を装着したカーテン。(イ)の位置に装着する。
【図２】カーテンの裏と表から挟み装着の略図、（ロ）の部分
【図３】図１の（イ）の上部拡大図でカーテン(ホ)を挟み（ハ）と（ニ）の凹凸部分を合わせ、押し込み装着固定する
【図４】取っ手の分解構造図
【図５】カーテンを挟み込んだ取っ手の拡大図